(57)【要約】【課題】制御装置１の負荷を軽減しつつ、情報利用装置６０に対して、できる限り最新の所定情報Ｓを提供することを可能とする情報提供方法を提供する。【解決手段】本発明は、情報発信装置５０ｓから所定情報Ｓを収集して、収集した所定情報Ｓを情報利用装置６０ｓに配信することによって、情報利用装置６０ｓに所定情報Ｓを提供する情報提供方法に関する。本発明に係る情報提供方法では、所定情報Ｓの収集状況又は配信状況に応じて、情報発信装置５０ｓから情報利用装置６０ｓへの所定情報Ｓの提供方法を変更する。【選択図】      図１
2004287611.tif 000002
【特許請求の範囲】
【請求項１】
情報発信装置から所定情報を収集して、収集した該所定情報を情報利用装置に配信することによって、該情報利用装置に該所定情報を提供する情報提供方法であって、
前記所定情報の収集状況又は該所定情報の配信状況に応じて、前記情報発信装置から前記情報利用装置への該所定情報の提供方法を変更することを特徴とする情報提供方法。
【請求項２】
情報発信装置から所定情報を収集して、収集した該所定情報を情報利用装置に配信する制御装置であって、
前記所定情報の収集状況又は該所定情報の配信状況を監視する監視部と、
監視した前記収集状況又は前記配信状況が所定条件を満たす場合、前記情報発信装置に対して、前記情報利用装置に前記所定情報を送信するように指示する指示部とを具備することを特徴とする制御装置。
【請求項３】
ネットワークを介して、情報発信装置から所定情報を収集して、収集した該所定情報を情報利用装置に配信する制御装置であって、
所定の収集方法を用いて、前記情報発信装置から前記所定情報を収集する収集部と、
前記ネットワークのトラフィックを監視するトラフィック監視部と、
前記所定情報の収集状況又は該所定情報の配信状況を監視する監視部と、
監視した前記トラフィック、前記収集状況、前記配信状況又はこれらの任意の二つが、所定条件を満たす場合、前記所定の収集方法を変更する収集方法変更部とを具備することを特徴とする制御装置。
【請求項４】
前記所定の収集方法には、
前記情報発信装置によって自発的に送信された前記所定情報を収集する第１の収集方法と、
前記情報発信装置に対して前記所定情報の送信要求を送信し、該送信要求に応じて該情報発信装置によって送信された該所定情報を収集する第２の収集方法とが含まれることを特徴とする請求項３に記載の制御装置。
【請求項５】
ネットワークを介して、情報発信装置から所定情報を収集して、収集した該所定情報を情報利用装置に配信する制御装置であって、
所定の配信方法を用いて、前記情報利用装置に対して前記所定情報を配信する配信部と、
前記ネットワークのトラフィックを監視するトラフィック監視部と、
前記所定情報の収集状況又は該所定情報の配信状況を監視する監視部と、
監視した前記トラフィック、前記収集状況、前記配信状況又はこれらの任意の二つが、所定条件を満たす場合、前記所定の配信方法を変更する配信方法変更部とを具備することを特徴とする制御装置。
【請求項６】
前記所定の配信方法には、
自発的に前記所定情報を配信する第１の配信方法と、
前記情報利用装置からの前記所定情報の配信要求に応じて、該所定情報を配信する第２の配信方法とが含まれることを特徴とする請求項５に記載の制御装置。
【請求項７】
前記情報利用装置から送信された配信条件を記憶する配信条件記憶部を具備し、
前記配信部は、前記情報発信装置から収集した前記所定情報が前記配信条件を満たす場合、該所定情報を該情報利用装置に対して配信することを特徴とする請求項２乃至６のいずれか一項に記載の制御装置。
【請求項８】
所定の送信方法を用いて制御装置に対して所定情報を送信する情報発信装置であって、
前記制御装置からの指示に応じて、該制御装置に対して自発的に前記所定情報を送信する第１の送信方法と、前記制御装置から受信した送信要求に応じて該制御装置に対して該所定情報を送信する第２の送信方法との間で、前記所定の送信方法を切り替えることを特徴とする情報発信装置。
【請求項９】
所定の取得方法を用いて制御装置から取得した所定情報を利用して所定処理を行う情報利用装置であって、
前記制御装置からの指示に応じて、該制御装置から自発的に送信された前記所定情報を取得する第１の取得方法と、前記制御装置に対して配信要求を送信し該配信要求に応じて該制御装置から送信された該所定情報を取得する第２の取得方法との間で、前記所定の取得方法を切り替えることを特徴とする情報利用装置。
【発明の詳細な説明】
【０００１】
【発明の属する技術分野】
本発明は、情報発信装置から所定情報を収集して、収集した該所定情報を情報利用装置に配信することによって、該情報利用装置に該所定情報を提供する情報提供方法、これに用いて好適な制御装置、情報発信装置及び情報利用装置に関する。
【０００２】
【従来の技術】
従来、携帯通信端末等の情報発信装置が、ユーザの端末情報や位置情報等の所定情報（以下、コンテキスト）をネットワーク上のデータベース（情報収集配信装置）に登録し、コンテキストを利用してサービスを提供する情報利用装置が、データベースに登録されたコンテキストを取得する情報提供方法が知られている。
【０００３】
【発明が解決しようとする課題】
しかしながら、従来の情報提供方法では、データベースが自発的に情報発信装置からコンテキストを収集するように構成されていないため、リアルタイムに情報発信装置の状況を把握することができないという問題点があった。
【０００４】
また、従来の情報提供方法では、コンテキストの変化が激しい場合、情報発信装置は、変化したコンテキストをデータベースに登録するために、頻繁にデータベースにアクセスしなければならず、データベースの負荷が増大するという問題点があった。
【０００５】
また、情報利用装置は、コンテキストが特定条件に合致した際に起動するように設定されている場合、データベースを常に監視する必要があり、やはりデータベースへのアクセス数が増加し、データベースの負荷が増大するという問題点があった。
【０００６】
そこで、本発明は、以上の点に鑑みてなされたもので、データベース（情報収集配信装置）の負荷を軽減しつつ、情報利用装置に対して、できる限り最新のコンテキスト（所定情報）を提供することを可能とする情報提供方法、これに用いて好適な制御装置、情報発信装置及び情報利用装置を提供することを目的とする。
【０００７】
【課題を解決するための手段】
本発明の第１の特徴は、情報発信装置から所定情報を収集して、収集した当該所定情報を情報利用装置に配信することによって、当該情報利用装置に当該所定情報を提供する情報提供方法であって、前記所定情報の収集状況又は当該所定情報の配信状況に応じて、当該情報発信装置から当該情報利用装置への当該所定情報の提供方法を変更することを要旨とする。
【０００８】
かかる発明によれば、情報収集配信装置（データベース）が多くの所定情報を特定の情報発信装置から収集して特定の情報利用装置へ配信する場合に、当該情報収集配信装置を介することなく当該情報発信装置から当該情報利用装置に当該所定情報を提供するように、当該所定情報の提供方法を変更することによって、当該情報収集配信装置の負荷を軽減することができる。
【０００９】
また、かかる発明によれば、情報発信装置と情報収集配信装置との間のトラフィックや、情報収集配信装置と情報利用装置との間のトラフィック等に応じて、各トラフィックを削減するように当該所定情報の提供方法（収集方法又は配信方法）を変更することによって、当該情報収集配信装置の負荷を軽減することができる。
【００１０】
また、かかる発明によれば、提供される所定情報の性質に応じて、当該所定情報の提供方法（収集方法又は配信方法）を変更することによって、情報発信装置から情報利用装置への所定情報の提供に係るサービス品質を向上することができる。
【００１１】
本発明の第２の特徴は、情報発信装置から所定情報を収集して、収集した当該所定情報を情報利用装置に配信する制御装置であって、前記所定情報の収集状況又は当該所定情報の配信状況を監視する監視部と、監視した前記収集状況又は前記配信状況が所定条件を満たす場合、前記情報発信装置に対して、前記情報利用装置に前記所定情報を送信するように指示する指示部とを具備することを要旨とする。
【００１２】
かかる発明によれば、指示部が、監視部による監視結果に応じて、情報発信装置に対して所定情報を情報利用装置に送信するように指示するため、多くの所定情報を特定の情報発信装置から収集して特定の情報利用装置へ配信する場合に、当該制御装置の負荷を軽減することができる。
【００１３】
本発明の第３の特徴は、ネットワークを介して、情報発信装置から所定情報を収集して、収集した当該所定情報を情報利用装置に配信する制御装置であって、所定の収集方法を用いて、前記情報発信装置から前記所定情報を収集する収集部と、前記ネットワークのトラフィックを監視するトラフィック監視部と、前記所定情報の収集状況又は当該所定情報の配信状況を監視する監視部と、監視した前記トラフィック、前記収集状況、前記配信状況又はこれらの任意の二つが所定条件を満たす場合、前記所定の収集方法を変更する収集方法変更部とを具備することを要旨とする。
【００１４】
かかる発明によれば、収集方法変更部が、トラフィック監視部又は監視部による監視結果に応じて、所定情報の収集方法を変更することによって、当該制御装置の負荷を軽減することができる。
【００１５】
本発明の第３の特徴において、前記所定の収集方法には、前記情報発信装置によって自発的に送信された前記所定情報を収集する第１の収集方法と、前記情報発信装置に対して前記所定情報の送信要求を送信し、当該送信要求に応じて当該情報発信装置によって送信された当該所定情報を収集する第２の収集方法とが含まれることが好ましい。
【００１６】
かかる発明によれば、情報発信装置と制御装置との間のトラフィックが少ない場合に第１の収集方法を適用し、当該情報発信装置と当該制御装置との間のトラフィックが多い場合に第２の収集方法を適用することによって、当該情報発信装置と当該制御装置との間のトラフィックを制御することによって、当該制御装置の負荷を軽減することができる。
【００１７】
本発明の第４の特徴は、ネットワークを介して、情報発信装置から所定情報を収集して、収集した当該所定情報を情報利用装置に配信する制御装置であって、所定の配信方法を用いて、前記情報利用装置に対して前記所定情報を配信する配信部と、前記ネットワークのトラフィックを監視するトラフィック監視部と、前記所定情報の収集状況又は当該所定情報の配信状況を監視する監視部と、監視した前記トラフィック、前記収集状況、前記配信状況又はこれらの任意の二つが所定条件を満たす場合、前記所定の配信方法を変更する配信方法変更部とを具備することを要旨とする。
【００１８】
かかる発明によれば、配信方法変更部が、トラフィック監視部又は監視部による監視結果に応じて、所定情報の配信方法を変更することによって、当該制御装置の負荷を軽減することができる。
【００１９】
本発明の第４の特徴において、前記所定の配信方法には、自発的に前記所定情報を配信する第１の配信方法と、前記情報利用装置からの前記所定情報の配信要求に応じて、当該所定情報を配信する第２の配信方法とが含まれることが好ましい。
【００２０】
かかる発明によれば、情報利用装置と制御装置との間のトラフィックが少ない場合に第１の配信方法を適用し、当該情報利用装置と当該制御装置との間のトラフィックが多い場合に第２の配信方法を適用することによって、当該情報利用装置と当該制御装置との間のトラフィックを制御することによって、当該制御装置の負荷を軽減することができる。
【００２１】
上述の制御装置において、前記情報利用装置から送信された配信条件を記憶する配信条件記憶部を具備し、前記配信部は、前記情報発信装置から収集した前記所定情報が前記配信条件を満たす場合、当該所定情報を当該情報利用装置に対して配信することが好ましい。
【００２２】
かかる発明によれば、配信部が、所定情報が配信条件を満たす場合に、当該所定情報を情報利用装置に対して配信するため、当該制御装置の負荷を軽減することができる。
【００２３】
本発明の第６の特徴は、所定の送信方法を用いて制御装置に対して所定情報を送信する情報発信装置であって、前記制御装置からの指示に応じて、当該制御装置に対して自発的に前記所定情報を送信する第１の送信方法と、前記制御装置から受信した送信要求に応じて当該制御装置に対して当該所定情報を送信する第２の送信方法との間で、前記所定の送信方法を切り替えることを要旨とする。
【００２４】
かかる発明によれば、情報発信装置と制御装置との間のトラフィックが少ない場合に当該情報発信装置が第１の送信方法を適用し、当該情報発信装置と当該制御装置との間のトラフィックが多い場合に当該情報発信装置が第２の送信方法を適用することによって、当該情報発信装置と当該制御装置との間のトラフィックを制御することによって、当該制御装置の負荷を軽減することができる。
【００２５】
本発明の第７の特徴は、所定の取得方法を用いて制御装置から取得した所定情報を利用して所定処理を行う情報利用装置であって、前記制御装置からの指示に応じて、当該制御装置から自発的に送信された前記所定情報を取得する第１の取得方法と、前記制御装置に対して配信要求を送信し当該配信要求に応じて当該制御装置から送信された当該所定情報を取得する第２の取得方法との間で、前記所定の取得方法を切り替えることを要旨とする。
【００２６】
かかる発明によれば、情報利用装置と制御装置との間のトラフィックが少ない場合に当該情報利用装置が第１の取得方法を適用し、当該情報利用装置と当該制御装置との間のトラフィックが多い場合に当該情報利用装置が第２の取得方法を適用することによって、当該情報利用装置と当該制御装置との間のトラフィックを制御することによって、当該制御装置の負荷を軽減することができる。
【００２７】
【発明の実施の形態】
（本発明の一実施形態に係る情報提供システムの構成）
本発明の一実施形態に係る情報提供システムの構成について、図１乃至図６を参照して説明する。
【００２８】
本実施形態に係る情報提供システムは、複数の情報発信装置５０１乃至５０ｎからユーザの端末情報や位置情報等の所定情報（コンテキスト）を収集して、収集した当該所定情報を複数の情報利用装置６０１乃至６０ｑに配信することによって、当該情報利用装置６０１乃至６０ｑに当該所定情報を提供するものである。
【００２９】
本実施形態に係る情報提供システムは、図１に示すように、情報管理装置１０及び情報収集配信装置２０から構成される制御装置１と、複数の情報発信装置５０１乃至５０ｎと、複数の情報利用装置６０１乃至６０ｑとを具備している。制御装置１と複数の情報発信装置５０１乃至５０ｎとの間や、制御装置１と複数の情報利用装置６０１乃至６０ｑとの間は、ネットワーク２を介して接続されている。
【００３０】
本実施形態では、情報管理装置１０及び情報収集配信装置２０が別個の装置である場合について説明するが、本発明は、かかる場合に限定されるものではなく、情報管理装置１０及び情報収集配信装置２０が一体の装置である場合についても適用可能である。
【００３１】
情報管理装置１０は、図２に示すように、情報収集配信装置インターフェイス１１と、情報発信装置インターフェイス１２と、情報利用装置インターフェイス１３と、条件記憶部１４と、判断部１５と、グループ管理部１６と、トラフィック監視部１７とを具備している。
【００３２】
情報収集配信装置インターフェイス１１は、情報収集配信装置３０との間のインターフェイス機能を果たすものである。
【００３３】
例えば、情報収集配信装置インターフェイス１１は、情報収集配信装置３０が情報発信装置５０から所定情報を収集した旨の通知を、当該情報収集配信装置３０から受信する。また、情報収集配信装置インターフェイス１１は、情報収集配信装置３０が情報利用装置６０に所定情報を配信した旨の通知を、当該情報収集配信装置３０から受信する。
【００３４】
また、情報収集配信装置インターフェイス１１は、判断部１５からの指示に応じて、情報発信装置５０から情報収集配信装置３０への所定情報の送信方法（情報収集配信装置３０における収集方法）についての変更通知を、当該情報収集配信装置３０に送信する。また、情報収集配信装置インターフェイス１１は、判断部１５からの指示に応じて、情報収集配信装置３０から情報利用装置６０への所定情報の配信方法（情報利用装置６０における取得方法）についての変更通知を、当該情報収集配信装置３０に送信する。
【００３５】
また、情報収集配信装置インターフェイス１１は、判断部１５からの指示に応じて、情報発信装置５０から収集した所定情報を情報利用装置６０に対して配信するように、情報収集配信装置３０に要求（リクエスト）する。
【００３６】
情報発信装置インターフェイス１２は、情報発信装置５０との間のインターフェイス機能を果たすものである。
【００３７】
例えば、情報発信装置インターフェイス１２は、判断部１５からの指示に応じて、情報発信装置５０から情報収集配信装置３０への所定情報の送信先や送信方法（情報収集配信装置３０における収集方法）についての変更通知を、当該情報発信装置５０に送信する。また、情報発信装置インターフェイス１２は、上述の変更通知に対する変更確認を、情報発信装置５０から受信する。
【００３８】
情報利用装置インターフェイス１３は、情報利用装置６０との間のインターフェイス機能を果たすものである。
【００３９】
例えば、情報利用装置インターフェイス１３は、判断部１５からの指示に応じて、情報収集配信装置３０から情報利用装置６０への所定情報の配信方法（情報利用装置６０における取得方法）についての変更通知を、当該情報利用装置６０に送信する。また、情報利用装置インターフェイス１３は、上述の変更通知に対する変更確認を、情報利用装置６０から受信する。
【００４０】
条件記憶部１４は、情報発信装置５０から情報収集配信装置３０への所定情報の送信方法（情報収集配信装置３０における収集方法）や、情報収集配信装置３０から情報利用装置６０への所定情報の配信方法（情報利用装置６０における取得方法）等を変更するために、トラフィックや所定情報の収集状況や所定情報の配信状況等と比較するための所定条件を記憶するものである。
【００４１】
例えば、所定条件として、単位時間あたりの情報利用装置６０からの所定情報の配信要求（リクエスト）の数が所定値を上回った（又は、下回った）場合や、単位時間あたりの情報発信装置５０から送信される所定情報（アップデート）の数が所定値を上回った（又は、下回った）場合や、所定情報の配信要求を送信する情報利用装置６０のうち特定の情報利用装置６０が占める割合が所定値を上回った（又は、下回った）場合や、ネットワーク２のトラフィック量が所定値を上回った（又は、下回った）場合等が挙げられる。
【００４２】
また、条件記憶部１４は、情報収集配信装置３０から情報利用装置６０に所定情報を配信するための配信条件を、情報利用装置６０から受信して記憶する配信条件記憶部である。
【００４３】
判断部１５は、情報発信装置５０から情報利用装置６０への所定情報の提供方法を変更するか否かについて判断するものである。例えば、判断部１５は、情報発信装置５０における所定情報の送信先や、情報発信装置５０における所定情報の送信方法や、情報利用装置６０における所定情報の取得方法等を変更するか否かについて判断するものである。
【００４４】
本実施形態において、判断部１５は、所定情報の収集状況及び当該所定情報の配信状況が所定条件を満たす場合、情報発信装置５０に対して、情報利用装置６０に所定情報を送信するように指示する指示部を構成する。
【００４５】
例えば、判断部１５は、単位時間あたりの情報利用装置６０からの所定情報の配信要求（リクエスト）の数が所定値を上回った場合で、単位時間あたりの情報発信装置５０から送信される所定情報の数が所定値を下回った場合で、かつ、所定情報の配信要求を送信する情報利用装置６０のうち特定の情報利用装置６０（又は、情報利用装置６０のグループ）が占める割合が所定値を上回った場合に、当該所定情報に係る情報発信装置５０に対して、制御装置１（情報収集配信装置３０）を介することなく、当該特定の情報利用装置６０（又は、情報利用装置６０のグループ）に当該所定情報を送信するように指示することができる。
【００４６】
また、判断部１５は、単位時間あたりの情報利用装置６０からの所定情報の配信要求（リクエスト）の数が所定値を下回った場合で、単位時間あたりの情報発信装置５０から送信される所定情報の数が所定値を上回った場合で、かつ、所定情報の配信要求を送信する情報利用装置６０のうち特定の情報利用装置６０（又は、情報利用装置６０のグループ）が占める割合が所定値を下回った場合に、当該所定情報に係る情報発信装置５０に対して、制御装置１（情報収集配信装置３０）を介して、当該特定の情報利用装置６０（又は、情報利用装置６０のグループ）に当該所定情報を送信するように指示することができる。
【００４７】
また、判断部１５は、式「（上述の特定の情報利用装置６０が占める割合）×（情報利用装置６０からの配信要求の総数）＝（情報発信装置５０から送信される所定情報の数）」が成立するように、上述の情報利用装置６０のグループを形成（又は、解除）することによって、効率的にトラフィックを軽減することができる。
【００４８】
また、判断部１５は、トラフィック監視部１７により監視されたネットワーク２のトラフィックと所定情報の収集状況と当該所定情報の配信状況とが、条件記憶部１４に記憶されている所定条件を満たす場合、所定情報の収集方法を変更する収集方法変更部や、所定情報の配信方法を変更する配信方法変更部を構成する。
【００４９】
例えば、判断部１５は、ネットワーク２のトラフィック量が所定値を上回った場合に、上述の単位時間あたりの配信要求が所定値を上回る情報利用装置６０（又は、情報利用装置６０のグループ）に対する所定情報の配信方法を、制御装置１から自発的に所定情報を配信する第１の配信方法（自発方式）とすることができる。この際、その他の情報利用装置６０（又は、情報利用装置６０のグループ）に対する所定情報の配信方法は、当該情報利用装置６０からの当該所定情報の配信要求に応じて当該所定情報を配信する第２の配信方法（リクエスト方式）とすることができる。
【００５０】
一方、判断部１５は、ネットワーク２のトラフィック量が所定値を下回った場合には、全ての情報利用装置６０（又は、情報利用装置６０のグループ）に対する所定情報の配信方法を、上述の第２の配信方法とすることができる。
【００５１】
また、判断部１５は、要求する所定情報の精度が高い情報利用装置６０（又は、情報利用装置６０のグループ）に対する所定情報の配信方法を、優先的に、上述の第２の配信方法とすることによって、所定情報の提供に係るサービス品質を向上することができる。
【００５２】
また、判断部１５は、所定情報の種類に応じて、当該所定情報の配信方法を、上述の第１の配信方法とするか、又は、上述の第２の配信方法とするかについて判断することができる。例えば、判断部１５は、ユーザの位置情報や温度情報等の変化の激しい（すなわち、リアルタイム性が要求される）所定情報を第２の配信方法で配信し、ユーザの氏名情報や年齢情報等のほぼ不変である（すなわち、リアルタイム性が要求されない）所定情報を第１の配信方法で配信することができる。
【００５３】
また、判断部１５は、ネットワーク２のトラフィック量が所定値を上回った場合に、上述の単位時間あたりに送信される所定情報の数（アップデート）が所定値を上回る情報発信装置５０（又は、情報発信装置５０のグループ）からの所定情報の収集方法を、制御装置１から送信された所定情報の送信要求に応じて当該所定情報を収集する第２の収集方法（リクエスト方式）とすることができる。この際、その他の情報発信装置５０（又は、情報発信装置５０のグループ）からの所定情報の収集方法は、当該情報発信装置５０（又は、情報発信装置５０のグループ）によって自発的に送信された所定情報を収集する第１の収集方法（自発方式）とすることができる。
【００５４】
一方、判断部１５は、ネットワーク２のトラフィック量が所定値を下回った場合には、全ての情報発信装置５０（又は、情報発信装置５０のグループ）からの所定情報の収集方法を、上述の第１の収集方法とすることができる。
【００５５】
また、判断部１５は、所定情報の種類に応じて、当該所定情報の収集方法を、上述の第１の収集方法とするか、又は、上述の第２の収集方法とするかについて判断することができる。例えば、判断部１５は、ユーザの位置情報や温度情報等の変化の激しい（すなわち、リアルタイム性が要求される）所定情報を第１の収集方法で収集し、ユーザの氏名情報や年齢情報等のほぼ不変である（すなわち、リアルタイム性が要求されない）所定情報を第２の収集方法で収集することができる。
【００５６】
また、判断部１５は、情報発信装置５０から収集した所定情報が、条件記憶部に記憶されている配信条件を満たす場合にのみ、当該所定情報を情報利用装置６０に対して配信するように判断することができる。例えば、判断部１５は、特定の２つの情報発信装置５０の距離が近づいた場合に、当該所定情報を情報利用装置６０に対して配信するように判断することができる。
【００５７】
グループ管理部１６は、上述の情報発信装置５０のグループや上述の情報利用装置６０のグループを管理するものである。
【００５８】
例えば、グループ管理部１６は、図３（ａ）に示すように、「グループＩＤ」と、当該グループＩＤにより識別されるグループを形成する「情報利用装置ＩＤ」とを関連付けて記憶するものである。
【００５９】
また、グループ管理部１６は、図３（ｂ）に示すように、「グループＩＤ」と、当該グループＩＤにより識別されるグループを形成する「情報発信装置ＩＤ」とを関連付けて記憶するものである。
【００６０】
トラフィック管理部１７は、ネットワーク２のトラフィックを監視するものである。例えば、トラフィック管理部１７は、単位時間辺りの平均トラフィック量や、トラフィックのバースト性等を監視することができる。
【００６１】
情報収集配信装置３０は、図４に示すように、収集部３１と、収集方法管理部３２と、配信部３３と、配信方法管理部３４と、情報記憶部３５と、情報管理装置インターフェイス３６とを具備している。
【００６２】
収集部３１は、所定の収集方法（第１の収集情報又は第２の収集方法）を用いて情報発信装置５０から所定情報を収集するものである。
【００６３】
収集方法管理部３２は、特定の情報発信装置５０から所定情報を収集するために用いる所定の収集方法を管理するものである。図４の例では、「情報発信装置ＩＤ＝１」によって識別される情報発信装置５０１から所定情報を収集するために用いる収集方法が第２の収集方法（リクエスト方式）であり、「情報発信装置ＩＤ＝ｎ」によって識別される情報発信装置５０ｎから所定情報を収集するために用いる収集方法が第１の収集方法（自発方式）である。ここで、収集方法管理部３２は、「情報発信装置ＩＤ」の代わりに、「情報発信装置グループＩＤ」を用いても良い。また、収集方法管理部３２の管理内容は、情報管理装置１０からの変更通知に応じて更新される。
【００６４】
配信部３３は、所定の配信方法（第１の配信情報又は第２の配信方法）を用いて情報利用装置６０に対して所定情報を配信するものである。
【００６５】
配信方法管理部３４は、特定の情報利用装置６０に対して所定情報を配信するために用いる所定の配信方法を管理するものである。図４の例では、「情報利用装置ＩＤ＝１」によって識別される情報利用装置６０１に対して所定情報を配信するために用いる配信方法が第２の配信方法（リクエスト方式）であり、「情報発信装置ＩＤ＝ｎ」によって識別される情報利用装置６０ｑに対して所定情報を配信するために用いる配信方法が第１の配信方法（自発方式）である。ここで、配信方法管理部３４は、「情報利用装置ＩＤ」の代わりに、「情報利用装置グループＩＤ」を用いても良い。また、配信方法管理部３４の管理内容は、情報管理装置１０からの変更通知に応じて更新される。
【００６６】
情報記憶部３５は、収集部３１によって情報発信装置５０から収集された所定情報を記憶するものである。また、情報記憶部３５は、配信部３３からの要求に応じて、記憶している所定情報を提供する。
【００６７】
情報管理装置インターフェイス３６は、情報管理装置１０とのとの間のインターフェイス機能を果たすものである。
【００６８】
例えば、情報管理装置インターフェイス３６は、情報発信装置５０から所定情報を収集した旨の通知や、情報利用装置６０に所定情報を配信した旨の通知を、情報管理装置１０に送信する。
【００６９】
また、情報管理装置インターフェイス３６は、所定情報の収集方法（情報発信装置５０における送信方法）や配信方法（情報利用装置６０における取得方法）についての変更通知を、情報管理装置１０から受信する。また、情報管理装置インターフェイス３６は、上述の変更通知に対して、収集方法管理部３２又は配信方法管理部３４の管理内容を更新した旨を通知する変更確認を、情報管理装置１０に対して送信する。
【００７０】
本実施形態において、情報管理装置１０の判断部１５と、情報収集配信装置３０の収集部３１及び配信部３３とが、所定情報の収集状況及び所定情報の配信状況を監視する監視部を構成する。
【００７１】
情報発信装置５０は、図５に示すように、情報記憶部５１と、送信方法管理部５２と、送信部５３と、受信部５４とを具備している。
【００７２】
情報記憶部５１は、ユーザの位置情報や温度情報等の変化の激しい所定情報や、ユーザの氏名情報や年齢情報等のほぼ不変の所定情報等を記憶するものである。
【００７３】
送信方法管理部５２は、情報収集配信装置３０に対して所定情報を送信するために用いる所定の送信方法を管理するものである。具体的には、送信方法管理部５２は、所定情報の種類を識別する「情報ＩＤ」と、当該所定情報の送信先を識別する「送信先」と、「送信方法」とを関連付けて記憶する。
【００７４】
図５の例では、「情報ＩＤ＝Ａ」で識別される所定情報は、情報収集発信装置３０において第２の収集方法に該当する「リクエスト方式」で、情報収集配信装置３０に送信される。また、「情報ＩＤ＝Ｂ」で識別される所定情報は、情報収集発信装置３０において第１の収集方法に該当する「自発方式」で、情報収集配信装置３０を介することなく、「送信先＝１及び２」で識別される情報利用装置６０１及び６０２に送信される。また、「情報ＩＤ＝Ｃ」で識別される所定情報は、情報収集発信装置３０において第１の収集方法に該当する「自発方式」で、情報収集配信装置３０を介することなく、「送信先＝ａ」で識別される情報利用装置グループに属する情報利用装置６０に送信される。また、送信方法管理部５２の管理内容は、情報管理装置１０からの変更通知に応じて更新される。
【００７５】
送信部５３は、送信方法管理部５２を参照して、所定の送信方法を用いて所定の送信先に、情報記憶部５１に記憶されている所定情報を送信するものである。また、送信部５３は、上述の変更通知に対して、送信方法管理部５２の管理内容を更新した旨を通知する変更確認を、情報管理装置１０に対して送信する。
【００７６】
また、受信部５４は、情報管理装置１０から送信された上述の変更通知を受信するものである。また、受信部５４は、情報収集配信装置３０から送信された所定情報の送信要求（リクエスト）を受信するものである。
【００７７】
この結果、情報発信装置５０は、制御装置１からの指示に応じて、当該制御装置１に対して自発的に所定情報を送信する第１の送信方法（自発方式）と、当該制御装置１から受信した送信要求（リクエスト）に応じて当該制御装置１に対して当該所定情報を送信する第２の送信方法（リクエスト方式）との間で、所定の送信方法を切り替えることが可能となる。
【００７８】
情報利用装置６０は、図６に示すように、送信部６１と、受信部６２と、処理部６３と、監視部６４と、取得方法管理部６５とを具備している。
【００７９】
送信部６１は、上述の変更通知に対して、送信方法管理部５２の管理内容を更新した旨を通知する変更確認を、情報管理装置１０に対して送信するものである。また、送信部６１は、所定情報の配信要求（リクエスト）を、情報収集配信装置３０に送信する。また、送信部６１は、上述の配信条件を情報収集配信装置３０に送信する。
【００８０】
受信部６２は、情報収集配信装置３０又は情報発信装置５０から送信された所定情報を受信するものである。また、受信部６２は、情報管理装置１０から送信された上述の変更通知を受信する。
【００８１】
処理部６３は、所定情報を用いて所定処理を行うものである。例えば、処理部６３は、ユーザの位置情報の変更に応じたコンテンツ提供サービスに係る処理を行うものである。
【００８２】
監視部６４は、所定情報が、情報利用装置６０の起動条件に適合するか否かについて監視するものである。例えば、監視部６４は、送信部６１により送信された配信要求（リクエスト）の数や、受信部６２により受信された所定情報の数等を監視する。監視部６４は、所定情報が情報利用装置６０の起動条件に適合すると判断した場合、処理部６３にその旨を通知する。
【００８３】
取得方法管理部６５は、情報収集配信装置３０から所定情報を取得するために用いる所定の取得方法を管理するものである。具体的には、取得方法管理部６５は、所定情報の種類を識別する「情報ＩＤ」と、当該所定情報の送信元を識別する「送信元」と、「取得方法」とを関連付けて記憶する。
【００８４】
図６の例では、「情報ＩＤ＝Ａ」で識別される所定情報は、情報収集発信装置３０において第２の配信方法に該当する「リクエスト方式」で、情報収集配信装置３０から取得される。また、「情報ＩＤ＝Ｂ」で識別される所定情報は、情報収集発信装置３０において第１の配信方法に該当する「自発方式」で、情報収集配信装置３０を介することなく、「送信元＝１及び２」で識別される情報発信装置５０１及び５０２から取得される。また、「情報ＩＤ＝Ｃ」で識別される所定情報は、情報収集発信装置３０において第１の配信方法に該当する「自発方式」で、情報収集配信装置３０を介することなく、「送信元＝ａ」で識別される情報発信装置グループに属する情報発信装置５０から取得される。また、取得方法管理部６５の管理内容は、情報管理装置１０からの変更通知に応じて更新される。
【００８５】
この結果、情報利用装置６０は、制御装置１からの指示に応じて、当該制御装置１から自発的に送信された所定情報を取得する第１の取得方法（自発方式）と、当該制御装置１に対して配信要求（リクエスト）を送信し当該配信要求に応じて当該制御装置から送信された当該所定情報を取得する第２の取得方法（リクエスト方式）との間で、前記所定の取得方法を切り替えることが可能となる。
【００８６】
（本実施形態に係る情報提供システムの動作）
本実施形態に係る情報提供システムの動作を、図７乃至図１５を参照して説明する。
【００８７】
第１に、図７を参照して、本実施形態に係る情報提供システムにおいて、所定情報Ｓの収集状況に応じて、情報発信装置５０ｓにおける所定情報Ｓの送信先が変更される場合の動作について説明する。
【００８８】
ステップ１０１において、情報発信装置５０ｓが、第１の送信方法（自発方式）を用いて、情報収集配信装置３０に対して所定情報Ｓを送信する。ステップ１０２において、情報収集配信装置３０が、当該情報発信装置５０ｓから当該所定情報Ｓを収集した旨の通知を情報管理装置１０に送信する。
【００８９】
ステップ１０３において、情報管理装置１０が、上述の通知に応じて所定情報Ｓの収集状況を監視しており、監視した所定情報Ｓの収集状況が所定条件を満たすか否かについて判断する。例えば、情報管理装置１０は、情報発信装置５０ｓから送信される所定情報Ｓの数が所定値を上回っているか否かについて判断する。
【００９０】
所定情報Ｓの収集状況が所定条件を満たすと判断された場合、例えば、情報発信装置５０ｓから送信される所定情報Ｓの数が所定値を上回っていると判断された場合、ステップ１０４において、情報管理装置１０は、当該情報発信装置５０ｓに対して、当該所定情報Ｓの送信先を変更するように指示する変更通知を送信する。
【００９１】
ステップ１０５において、当該情報発信装置５０ｓは、送信方法管理部５２において、当該所定情報Ｓの送信先を、情報収集配信装置３０から、情報収集配信装置３０及び情報利用装置６０Ｓに変更する。
【００９２】
ステップ１０６において、当該情報発信装置５０ｓは、当該所定情報Ｓの送信先を変更した旨を通知する変更確認を情報収集配信装置３０に送信する。
【００９３】
その後、ステップ１０７において、当該情報発信装置５０ｓは、第１の送信方法（自発方式）を用いて、情報収集配信装置３０及び情報利用装置６０Ｓに対して所定情報Ｓを送信する。
【００９４】
第２に、図８を参照して、本実施形態に係る情報提供システムにおいて、所定情報Ｓの配信状況に応じて、情報発信装置５０ｓにおける所定情報Ｓの送信先が変更される場合の動作について説明する。
【００９５】
ステップ２０１において、情報発信装置５０ｓが、第１の送信方法（自発方式）を用いて、情報収集配信装置３０に対して所定情報Ｓを送信している。ステップ２０２において、情報利用装置６０Ｓが、第２の取得方法（リクエスト方式）を用いて所定情報を取得するために、当該所定情報の配信要求（リクエスト）を、情報収集配信装置３０に送信する。ステップ２０３において、情報収集配信装置３０は、上述のリクエストに応じて、所定情報を情報利用装置６０Ｓに送信する。また、ステップ２０４において、情報収集配信装置３０は、所定情報を情報利用装置６０Ｓに送信した旨の通知を情報管理装置１０に送信する。
【００９６】
ステップ２０５において、情報管理装置１０が、上述の通知に応じて所定情報Ｓの配信状況を監視しており、監視した所定情報Ｓの配信状況が所定条件を満たすか否かについて判断する。例えば、情報管理装置１０は、情報利用装置６０ｓに対して送信される所定情報Ｓの数が所定値を上回っているか否かについて判断する。
【００９７】
所定情報Ｓの配信状況が所定条件を満たすと判断された場合、例えば、情報利用装置６０ｓに対して送信される所定情報Ｓの数が所定値を上回っていると判断された場合、ステップ２０６において、情報管理装置１０は、当該情報発信装置５０ｓに対して、当該所定情報Ｓの送信先を変更するように指示する変更通知を送信する。
【００９８】
以下、ステップ２０７乃至２０９は、上述のステップ１０５乃至１０７と同様の動作であるため、説明を省略する。
【００９９】
第３に、図９を参照して、本実施形態に係る情報提供システムにおいて、所定情報Ｓの収集状況に応じて、情報発信装置５０ｓにおける所定情報Ｓの送信先が変更される場合の動作について説明する。
【０１００】
ステップ３０１において、情報発信装置５０ｓが、第１の送信方法（自発方式）を用いて、情報収集配信装置３０及び情報利用装置６０Ｓに対して所定情報Ｓを送信している。
【０１０１】
その後、ステップ３０２において、情報管理装置１０が、監視している所定情報Ｓの収集状況が所定条件を満たすか否かについて判断する。例えば、情報管理装置１０は、情報発信装置５０ｓから送信される所定情報Ｓの数が所定値を上回っているか否かについて判断する。
【０１０２】
所定情報Ｓの収集状況が所定条件を満たすと判断された場合、例えば、情報発信装置５０ｓから送信される所定情報Ｓの数が所定値を下回っていると判断された場合、ステップ３０３において、情報管理装置１０は、当該情報発信装置５０ｓに対して、当該所定情報Ｓの送信先を変更するように指示する変更通知を送信する。
【０１０３】
ステップ３０４において、当該情報発信装置５０ｓは、送信方法管理部５２において、当該所定情報Ｓの送信先を、情報収集配信装置３０及び情報利用装置６０Ｓから、情報収集配信装置３０に変更する。
【０１０４】
ステップ３０５において、当該情報発信装置５０ｓは、当該所定情報Ｓの送信先を変更した旨を通知する変更確認を情報収集配信装置３０に送信する。
【０１０５】
その後、ステップ３０６において、当該情報発信装置５０ｓは、第１の送信方法（自発方式）を用いて、情報収集配信装置３０に対して所定情報Ｓを送信する。
【０１０６】
第４に、図１０を参照して、本実施形態に係る情報提供システムにおいて、所定情報Ｓの収集状況に応じて、情報発信装置５０ｓにおける所定情報Ｓの送信方法が変更される場合の動作について説明する。
【０１０７】
ステップ４０１において、情報発信装置５０ｓが、第１の送信方法（自発方式）を用いて、情報収集配信装置３０に対して所定情報Ｓを送信する。ステップ４０２において、情報収集配信装置３０が、当該情報発信装置５０ｓから当該所定情報Ｓを収集した旨の通知を情報管理装置１０に送信する。
【０１０８】
ステップ４０３において、情報管理装置１０が、上述の通知に応じて所定情報Ｓの収集状況を監視していると共に、ネットワーク２のトラフィックを監視している。この際、情報管理装置１０が、監視したトラフィック及び所定情報Ｓの収集状況が所定条件を満たすか否かについて判断する。例えば、情報管理装置１０は、ネットワーク２のトラフィック量が所定値を上回っているか否か、及び、情報発信装置５０ｓから送信される所定情報Ｓの数が所定値を上回っているか否かについて判断する。
【０１０９】
所定情報Ｓの収集状況が所定条件を満たすと判断された場合、例えば、ネットワーク２のトラフィック量が所定値を上回っており、かつ、情報発信装置５０ｓから送信される所定情報Ｓの数が所定値を上回っていると判断された場合、ステップ４０４において、情報管理装置１０は、情報収集配信装置３０及び情報発信装置５０ｓに対して、当該所定情報Ｓの収集方法及び送信方法を変更するように指示する変更通知を送信する。
【０１１０】
ステップ４０５において、情報収集配信装置３０及び情報発信装置５０ｓは、それぞれ収集法法管理部３２及び送信方法管理部５２において、当該所定情報Ｓの収集方法及び送信方法を、第１の収集方法及び第１の送信方法から、第２の収集方法及び第２の送信方法に変更する。
【０１１１】
ステップ４０６において、情報収集配信装置３０及び情報発信装置５０ｓは、それぞれ当該所定情報Ｓの収集方法及び送信方法を変更した旨を通知する変更確認を、情報管理装置１０に送信する。
【０１１２】
その後、ステップ４０７において、情報収集配信装置３０が、所定情報の送信要求（リクエスト）を情報発信装置５０ｓに送信する。ステップ４０８において、当該情報発信装置５０ｓは、第２の送信方法（リクエスト方式）を用いて、すなわち、上述の所定情報の送信要求（リクエスト）に応じて、情報収集配信装置３０に対して所定情報Ｓを送信する。
【０１１３】
第５に、図１１を参照して、本実施形態に係る情報提供システムにおいて、所定情報Ｓの収集状況に応じて、情報発信装置５０ｓにおける所定情報Ｓの送信方法が変更される場合の動作について説明する。
【０１１４】
ステップ５０１及び５０２において、情報発信装置５０ｓが、第２の送信方法（リクエスト方式）を用いて、情報収集配信装置３０に対して所定情報Ｓを送信する。ステップ５０２において、情報収集配信装置３０が、当該情報発信装置５０ｓから当該所定情報Ｓを収集した旨の通知を情報管理装置１０に送信する。
【０１１５】
ステップ５０４において、情報管理装置１０が、上述の通知に応じて所定情報Ｓの収集状況を監視していると共に、ネットワーク２のトラフィックを監視している。この際、情報管理装置１０が、監視したトラフィック及び所定情報Ｓの収集状況が所定条件を満たすか否かについて判断する。例えば、情報管理装置１０は、ネットワーク２のトラフィック量が所定値を下回っているか否か、及び、情報発信装置５０ｓから送信される所定情報Ｓの数が所定値を下回っているか否かについて判断する。
【０１１６】
所定情報Ｓの収集状況が所定条件を満たすと判断された場合、例えば、ネットワーク２のトラフィック量が所定値を下回っているか、又は、情報発信装置５０ｓから送信される所定情報Ｓの数が所定値を下回っていると判断された場合、ステップ５０５において、情報管理装置１０は、情報収集配信装置３０及び情報発信装置５０ｓに対して、それぞれ当該所定情報Ｓの収集方法及び送信方法を変更するように指示する変更通知を送信する。
【０１１７】
ステップ５０６において、情報収集配信装置３０及び情報発信装置５０ｓは、それぞれ収集法法管理部３２及び送信方法管理部５２において、当該所定情報Ｓの収集方法及び送信方法を、第２の収集方法及び第２の送信方法から、第１の収集方法及び第１の送信方法に変更する。
【０１１８】
ステップ５０７において、情報収集配信装置３０及び情報発信装置５０ｓは、当該所定情報Ｓの収集方法及び送信方法を変更した旨を通知する変更確認を、情報管理装置１０に送信する。
【０１１９】
その後、ステップ５０８において、当該情報発信装置５０ｓは、第１の送信方法（自発方式）を用いて、情報収集配信装置３０に対して所定情報Ｓを送信する。
【０１２０】
第６に、図１２を参照して、本実施形態に係る情報提供システムにおいて、所定情報Ｓの収集状況に応じて、情報発信装置５０ｓにおける所定情報Ｓの送信方法が変更される場合の動作について説明する。
【０１２１】
ステップ６０１及び６０２において、情報発信装置５０ｓが、第２の送信方法（リクエスト方式）を用いて、情報収集配信装置３０に対して所定情報Ｓを送信している。
【０１２２】
その後、ステップ６０３において、情報管理装置１０が、監視している所定情報Ｓの収集状況が所定条件を満たすか否かについて判断する。例えば、情報管理装置１０は、ネットワーク２のトラフィック量が所定値を下回っているか否かについて判断する。
【０１２３】
所定情報Ｓの収集状況が所定条件を満たすと判断された場合、例えば、ネットワーク２のトラフィック量が所定値を下回っていると判断された場合、ステップ６０４において、情報管理装置１０は、情報収集配信装置３０及び情報発信装置５０ｓに対して、それぞれ当該所定情報Ｓの収集方法及び送信方法を変更するように指示する変更通知を送信する。
【０１２４】
以下、ステップ６０５乃至６０７は、上述のステップ５０６乃至５０８と同様の動作であるため、説明を省略する。
【０１２５】
第７に、図１３を参照して、本実施形態に係る情報提供システムにおいて、所定情報Ｓの配信状況に応じて、情報利用装置６０ｓにおける所定情報Ｓの取得方法が変更される場合の動作について説明する。
【０１２６】
ステップ７０１及び７０２において、情報利用装置６０ｓは、第２の取得方法（リクエスト方式）を用いて、情報収集配信装置３０から所定情報Ｓを取得する。ステップ７０３において、情報収集配信装置３０が、情報利用装置６０ｓに対して所定情報Ｓを配信した旨の通知を情報管理装置１０に送信する。
【０１２７】
ステップ７０４において、情報管理装置１０が、上述の通知に応じて所定情報Ｓの配信状況を監視していると共に、ネットワーク２のトラフィックを監視している。この際、情報管理装置１０が、監視したトラフィック及び所定情報Ｓの配信状況が所定条件を満たすか否かについて判断する。例えば、情報管理装置１０は、ネットワーク２のトラフィック量が所定値を上回っているか否か、及び、情報利用装置６０ｓに対して配信される所定情報Ｓの数が所定値を上回っているか否かについて判断する。
【０１２８】
所定情報Ｓの配信状況が所定条件を満たすと判断された場合、例えば、ネットワーク２のトラフィック量が所定値を上回っており、かつ、情報利用装置６０ｓに対して配信される所定情報Ｓの数が所定値を上回っていると判断された場合、ステップ７０５において、情報管理装置１０は、情報収集配信装置３０及び情報利用装置６０ｓに対して、それぞれ当該所定情報Ｓの配信方法及び取得方法を変更するように指示する変更通知を送信する。
【０１２９】
ステップ７０６において、情報収集配信装置３０及び情報利用装置６０ｓは、それぞれ収集法法管理部３２及び取得方法管理部６５において、当該所定情報Ｓの配信方法及び取得方法を、第２の配信方法及び第２の取得方法から、第１の配信方法及び第１の取得方法に変更する。
【０１３０】
ステップ７０７において、情報収集配信装置３０及び情報利用信装置６０ｓは、それぞれ当該所定情報Ｓの配信方法及び取得方法を変更した旨を通知する変更確認を、情報管理装置１０に送信する。
【０１３１】
その後、ステップ７０８において、当該情報利用装置６０ｓは、第１の取得方法（自発方式）を用いて、情報収集配信装置３０から所定情報Ｓを取得する。
【０１３２】
第８に、図１４を参照して、本実施形態に係る情報提供システムにおいて、所定情報Ｓの配信状況に応じて、情報利用装置６０ｓにおける所定情報Ｓの取得方法が変更される場合の動作について説明する。
【０１３３】
ステップ８０１において、情報利用装置６０ｓは、第１の取得方法（自発方式）を用いて、情報収集配信装置３０から所定情報Ｓを取得している。
【０１３４】
ステップ８０２において、情報管理装置１０が、上述の通知に応じて所定情報Ｓの配信状況を監視していると共に、ネットワーク２のトラフィックを監視している。この際、情報管理装置１０が、監視したトラフィック及び所定情報Ｓの配信状況が所定条件を満たすか否かについて判断する。例えば、情報管理装置１０は、ネットワーク２のトラフィック量が所定値を下回っているか否か、及び、情報利用装置６０ｓに対して配信される所定情報Ｓの数が所定値を下回っているか否かについて判断する。
【０１３５】
所定情報Ｓの配信状況が所定条件を満たすと判断された場合、例えば、ネットワーク２のトラフィック量が所定値を上回っているか、又は、情報利用装置６０ｓに対して配信される所定情報Ｓの数が所定値を下回っていると判断された場合、ステップ８０３において、情報管理装置１０は、情報収集配信装置３０及び情報利用装置６０ｓに対して、それぞれ当該所定情報Ｓの配信方法及び取得方法を変更するように指示する変更通知を送信する。
【０１３６】
ステップ８０４において、情報収集配信装置３０及び情報利用装置６０ｓは、それぞれ収集法法管理部３２及び取得方法管理部６５において、当該所定情報Ｓの配信方法及び取得方法を、第１の配信方法及び第１の取得方法から、第２の配信方法及び第２の取得方法に変更する。
【０１３７】
ステップ８０５において、情報収集配信装置３０及び情報利用信装置６０ｓは、それぞれ当該所定情報Ｓの配信方法及び取得方法を変更した旨を通知する変更確認を、情報管理装置１０に送信する。
【０１３８】
その後、ステップ８０６及び８０７において、当該情報利用装置６０ｓは、第２の取得方法（リクエスト方式）を用いて、情報収集配信装置３０から所定情報Ｓを取得する。
【０１３９】
第９に、図１５を参照して、本実施形態に係る情報提供システムにおいて、配信条件を満たす所定情報Ｓを、情報発信装置５０ｓから情報利用信装置６０ｓに提供する動作を説明する。
【０１４０】
ステップ９０１において、情報利用信装置６０ｓが、オペレータにより入力された所定情報Ｓの配信条件を、情報管理装置１０に送信する。ステップ９０２において、情報管理装置１０は、送信された所定情報Ｓの配信条件を、条件記憶部１４に記憶する。ステップ９０３において、情報管理装置１０は、所定情報Ｓの配信条件を記憶した旨の確認を、情報利用信装置６０ｓに送信する。
【０１４１】
その後、ステップ９０４において、情報発信装置５０ｓが、所定の送信方法を用いて、所定情報Ｓを情報収集配信装置３０に送信する。ステップ９０５において、情報収集配信装置３０が、所定情報Ｓを情報記憶部３５に記憶すると共に、情報発信装置５０ｓから所定情報Ｓを受信した旨の通知を情報管理装置１０に送信する。
【０１４２】
ステップ９０６において、情報管理装置１０は、所定情報Ｓが上述の配信条件を満たすか否かについての判断を行う。所定情報Ｓが上述の配信条件を満たすと判断された場合、ステップ９０７において、情報管理装置１０は、情報収集配信装置３０に対して、所定情報Ｓを情報利用信装置６０ｓに送信するように要求するリクエストを送信する。ステップ９０８において、情報収集配信装置３０は、上述のリクエストに応じて、情報記憶部３５に記憶されている所定情報Ｓを、所定の配信方法を用いて情報利用信装置６０ｓに送信する。
【０１４３】
（本実施形態に係る情報提供システムの作用・効果）
本実施形態に係る情報提供システムによれば、制御装置１が多くの所定情報Ｓを特定の情報発信装置５０ｓから収集して特定の情報利用装置６０ｓへ配信する場合に、制御装置１を介することなく当該情報発信装置５０ｓから当該情報利用装置６０ｓに当該所定情報Ｓを提供するように、当該所定情報Ｓの提供方法を変更することによって、当該制御装置１の負荷を軽減することができる。
【０１４４】
また、本実施形態に係る情報提供システムによれば、情報発信装置５０ｓと制御装置１との間のトラフィックや、制御装置１と情報利用装置６０ｓとの間のトラフィック等に応じて、各トラフィックを削減するように当該所定情報Ｓの提供方法（収集方法又は配信方法）を変更することによって、当該制御装置１の負荷を軽減することができる。
【０１４５】
また、本実施形態に係る情報提供システムによれば、提供される所定情報Ｓの性質（リアルタイム性や非リアルタイム性）に応じて、当該所定情報Ｓの提供方法（収集方法又は配信方法）を変更することによって、情報発信装置５０ｓから情報利用装置６０ｓへの所定情報Ｓの提供に係るサービス品質を向上することができる。
【０１４６】
また、本実施形態に係る情報提供システムによれば、情報管理装置１０の判断部１５が、所定情報Ｓの収集状況又は配信状況についての監視結果に応じて、情報発信装置５０ｓに対して所定情報Ｓを情報利用装置６０ｓに送信するように指示するため、多くの所定情報Ｓを特定の情報発信装置５０ｓから収集して特定の情報利用装置６０ｓへ配信する場合に、制御装置１の負荷を軽減することができる。
【０１４７】
また、本実施形態に係る情報提供システムによれば、情報管理装置１０の判断部１５が、トラフィックや所定情報Ｓの収集状況や配信状況についての監視結果に応じて、所定情報Ｓの収集方法や配信方法を変更することによって、制御装置１の負荷を軽減することができる。
【０１４８】
また、本実施形態に係る情報提供システムによれば、情報発信装置５０ｓと制御装置１との間のトラフィックが少ない場合に第１の収集方法を適用し、情報発信装置５０ｓと制御装置１との間のトラフィックが多い場合に第２の収集方法を適用することによって、情報発信装置５０ｓと制御装置１との間のトラフィックを制御することによって、当該制御装置１の負荷を軽減することができる。
【０１４９】
また、本実施形態に係る情報提供システムによれば、情報利用装置６０ｓと制御装置１との間のトラフィックが少ない場合に第１の配信方法を適用し、情報利用装置６０ｓと制御装置１との間のトラフィックが多い場合に第２の配信方法を適用することによって、情報利用装置６０ｓと制御装置１との間のトラフィックを制御することによって、当該制御装置１の負荷を軽減することができる。
【０１５０】
また、本実施形態に係る情報提供システムによれば、情報収集配信装置３０の配信部３３が、所定情報Ｓが配信条件を満たす場合に、当該所定情報Ｓを情報利用装置６０ｓに対して配信するため、当該制御装置１の負荷を軽減することができる。
【０１５１】
【発明の効果】
以上説明したように本発明によれば、制御装置１の負荷を軽減しつつ、情報利用装置６０に対して、できる限り最新の所定情報を提供することを可能とする情報提供方法、これに用いて好適な制御装置、情報発信装置及び情報利用装置を提供することができる。
【図面の簡単な説明】
【図１】本発明の一実施形態に係る情報提供システムの全体構成図である。
【図２】本発明の一実施形態に係る情報提供システムにおける情報管理装置の機能ブロック図である。
【図３】本発明の一実施形態に係る情報提供システムの情報管理装置のグループ管理部に記憶されるレコードの一例を示す図である。
【図４】本発明の一実施形態に係る情報提供システムにおける情報収集配信装置の機能ブロック図である。
【図５】本発明の一実施形態に係る情報提供システムにおける情報発信装置の機能ブロック図である。
【図６】本発明の一実施形態に係る情報提供システムにおける情報利用装置の機能ブロック図である。
【図７】本発明の一実施形態に係る情報提供システムにおいて、情報発信装置が、所定情報の送信先を変更する動作を示すシーケンス図である。
【図８】本発明の一実施形態に係る情報提供システムにおいて、情報発信装置が、所定情報の送信先を変更する動作を示すシーケンス図である。
【図９】本発明の一実施形態に係る情報提供システムにおいて、情報発信装置が、所定情報の送信先を変更する動作を示すシーケンス図である。
【図１０】本発明の一実施形態に係る情報提供システムにおいて、情報発信装置が、所定情報の送信方法を変更する動作を示すシーケンス図である。
【図１１】本発明の一実施形態に係る情報提供システムにおいて、情報発信装置が、所定情報の送信方法を変更する動作を示すシーケンス図である。
【図１２】本発明の一実施形態に係る情報提供システムにおいて、情報発信装置が、所定情報の送信方法を変更する動作を示すシーケンス図である。
【図１３】本発明の一実施形態に係る情報提供システムにおいて、情報利用装置が、所定情報の取得方法を変更する動作を示すシーケンス図である。
【図１４】本発明の一実施形態に係る情報提供システムにおいて、情報利用装置が、所定情報の取得方法を変更する動作を示すシーケンス図である。
【図１５】本発明の一実施形態に係る情報提供システムにおいて、情報利用装置が、所定条件に合致した所定情報を取得する動作を示すシーケンス図である。
【符号の説明】
１…制御装置
１０…情報管理装置
１１…情報収集配信装置インターフェイス
１２…情報発信装置インターフェイス
１３…情報利用装置インターフェイス
１４…条件記憶部
１５…判断部
１６…グループ管理部
１７…トラフィック監視部
３０…情報収集配信装置
３１…収集部
３２…収集方法管理部
３３…配信部
３４…配信方法管理部
３５、５１…情報記憶部
３６…情報管理装置インターフェイス
５０…情報発信装置
５２…送信方法管理部
５３、６１…送信部
５４、６２…受信部
６０…情報利用装置
６３…処理部
６４…監視部
６５…取得方法管理部
【図１】
2004287611.tif 000003
【図２】
2004287611.tif 000004
【図３】
2004287611.tif 000005
【図４】
2004287611.tif 000006
【図５】
2004287611.tif 000007
【図６】
2004287611.tif 000008
【図７】
2004287611.tif 000009
【図８】
2004287611.tif 000010
【図９】
2004287611.tif 000011
【図１０】
2004287611.tif 000012
【図１１】
2004287611.tif 000013
【図１２】
2004287611.tif 000014
【図１３】
2004287611.tif 000015
【図１４】
2004287611.tif 000016
【図１５】
2004287611.tif 000017